(57)【要約】【課題】使用者にボウル部内に回転軸及び回転体が見えることによる違和感を与えにくくすることができると共に、汚物の蓄積が回転体及び回転軸の回転動作を阻害することを抑制することができる便器装置を提供する。【解決手段】便器装置は、貯留された溜水の溜水面が形成され且つ汚物を受ける汚物受け面を備えるボウル部１０と、ボウル部内で汚物を粉砕する粉砕装置１８と、ボウル部内の洗浄水を下流側に排出させる排出装置２０と、を有し、ボウル部１０は、さらに、汚物受け面の下部から外側へ向けて延びる粉砕室１０ｄを備え、粉砕装置１８は、溜水内に回転流を発生させる回転体２６と、回転体に回転を伝達する回転軸２８とを備え、回転軸２８は粉砕室１０ｄ内の上側に設けられ且つ回転体２６も粉砕室１０ｄ内の上側に設けられる。【選択図】図３
2019132003.tif 000002
【特許請求の範囲】
【請求項１】
汚物を粉砕して排出する便器装置であって、
貯留された溜水の溜水面が形成され且つ汚物を受ける汚物受け面を備えるボウル部と、
上記ボウル部内で汚物を粉砕する粉砕装置と、
上記ボウル部内の洗浄水を下流側に排出させる排出装置と、を有し、
上記ボウル部は、さらに、上記汚物受け面の下部から外側へ向けて延びる粉砕室を備え、
上記粉砕装置は、上記溜水内に回転流を発生させる回転体と、上記回転体に回転を伝達する回転軸とを備え、
上記回転軸は上記粉砕室内の上側に設けられ且つ上記回転体も上記粉砕室内の上側に設けられることを特徴とする、便器装置。
【請求項２】
上記ボウル部の上記粉砕室は、上記汚物受け面の下部から後方側へ向けて延びる、請求項１に記載の便器装置。
【請求項３】
上記粉砕装置の上記回転体は、平面視で上記ボウル部の待機状態における溜水面の外側に配置される、請求項１又は２に記載の便器装置。
【請求項４】
上記ボウル部の上記粉砕室は、上記回転体より上側に溜まる空気を上記汚物受け面側へ向けて排出する空気排出手段を備える、請求項１乃至３の何れか１項に記載の便器装置。
【請求項５】
上記空気排出手段は、水平に対して上記汚物受け面側に向けて上り傾斜するように形成される上記粉砕室の天面である、請求項４に記載の便器装置。
【請求項６】
上記ボウル部の上記粉砕室は、上記回転体の回転時に上記粉砕室内の底部側において水流の淀みが発生することを抑制する淀み抑制手段を備える、請求項２乃至５に記載の便器装置。
【請求項７】
上記淀み抑制手段は、上記回転体の下方において前方側から後方側に向けて上り傾斜するように形成される上記粉砕室の下面である、請求項６に記載の便器装置。
【発明の詳細な説明】
【技術分野】
【０００１】
本発明は、便器装置に係り、特に、汚物を粉砕して排出する便器装置に関する。
【背景技術】
【０００２】
特許文献１に示すように、回転体を回転させて汚物を粉砕した後に、粉砕した汚物を便器の外部に排出する便器装置が提案されている。このような便器装置では、節水化の要請により少ない洗浄水で便器を洗浄する場合であっても、汚物を粉砕した後に排出するため、下流側の配管の詰まりを抑えることができる。このような便器装置では、汚物を粉砕するための粉砕室を別途設けることなく汚物をボウル部の溜水部内で粉砕するため、便器装置をコンパクトに形成することができる。便器装置のコンパクト化は、特にトイレルームに十分な広さを確保することができない場合に便器装置を配置することができる点で非常に有効である。
【先行技術文献】
【特許文献】
【０００３】
【特許文献１】特開２０１５−１５１６９４号
【発明の概要】
【発明が解決しようとする課題】
【０００４】
しかしながら、特許文献１のような便器装置においては、汚物を粉砕するため、ボウル部の底部に回転体を設けている。よって、使用者がボウル部を上から見た際に回転体が視認されやすく、回転体を備えない通常の水洗便器との相違により使用者に違和感や不安感を与える懸念がある。また、沈殿した汚物が回転体に蓄積し、回転体の回転動作が阻害される懸念がある。
【０００５】
そこで、本発明は、上述した課題を解決するためになされたものであり、使用者にボウル部内に回転軸及び回転体が見えることによる違和感を与えにくくすることができると共に、汚物の蓄積が回転体及び回転軸の回転動作を阻害することを抑制することができる便器装置を提供することを目的とする。
【課題を解決するための手段】
【０００６】
上述した目的を達成するために、本発明は、汚物を粉砕して排出する便器装置であって、貯留された溜水の溜水面が形成され且つ汚物を受ける汚物受け面を備えるボウル部と、上記ボウル部内で汚物を粉砕する粉砕装置と、上記ボウル部内の洗浄水を下流側に排出させる排出装置と、を有し、上記ボウル部は、さらに、上記汚物受け面の下部から外側へ向けて延びる粉砕室を備え、上記粉砕装置は、上記溜水内に回転流を発生させる回転体と、上記回転体に回転を伝達する回転軸とを備え、上記回転軸は上記粉砕室内の上側に設けられ且つ上記回転体も上記粉砕室内の上側に設けられる。
このように構成された本発明においては、汚物受け面の下部から外側へ向けて延びる粉砕室において、回転軸は粉砕室内の上側に設けられ且つ回転体も粉砕室内の上側に設けられる。これにより、使用者から粉砕装置の回転軸及び回転体を見えにくくすることができ、使用者にボウル部内に回転軸及び回転体が見えることによる違和感を与えにくくすることができる。また、このように構成された本発明においては、回転軸は粉砕室内の上側に設けられ且つ回転体も粉砕室内の上側に設けられる。仮に回転軸及び回転体が粉砕室内の下側に設けられて汚物が沈殿して下側の回転体及び回転軸に蓄積する場合と比べて、本発明によれば、回転体及び回転軸に汚物が蓄積することを抑制し、汚物の蓄積が回転体及び回転軸の回転動作を阻害することを抑制することができる。
【０００７】
本発明において、好ましくは、上記ボウル部の上記粉砕室は、上記汚物受け面の下部から後方側へ向けて延びる。
このように構成された本発明においては、汚物受け面の下部から後方側へ向けて延びる粉砕室において、回転軸は粉砕室内の上側に設けられ且つ回転体も粉砕室内の上側に設けられる。これにより、使用者から粉砕装置の回転軸及び回転体をより見えにくくすることができ、使用者にボウル部内に回転軸及び回転体が見えることによる違和感をより与えにくくすることができる。
【０００８】
本発明において、好ましくは、上記粉砕装置の上記回転体は、平面視で上記ボウル部の待機状態における溜水面の外側に配置される。
このように構成された本発明においては、粉砕装置の回転体は、平面視でボウル部の待機状態における溜水面の外側に配置される。これにより、使用者から粉砕装置の回転軸及び回転体をより見えにくくすることができ、使用者にボウル部内に回転軸及び回転体が見えることによる違和感をより与えにくくすることができる。
【０００９】
本発明において、好ましくは、上記ボウル部の上記粉砕室は、上記回転体より上側に溜まる空気を上記汚物受け面側へ向けて排出する空気排出手段を備える。
このように構成された本発明においては、ボウル部の粉砕室が、回転体より上側に溜まる空気を汚物受け面側へ向けて排出する空気排出手段を備えるので、回転体が回転体より上側に溜まる空気を巻き込み、異音を生じさせることを抑制することができる。
【００１０】
本発明において、好ましくは、上記空気排出手段は、水平に対して上記汚物受け面側に向けて上り傾斜するように形成される上記粉砕室の天面である。
このように構成された本発明においては、空気排出手段は、水平に対して汚物受け面側に向けて上り傾斜するように形成される粉砕室の天面である。よって、粉砕室の回転体より上側に溜まる空気が、空気排出手段に沿って汚物受け面側に向けて排出され、回転体より上側に空気が溜まることを抑制することができる。
【００１１】
本発明において、好ましくは、上記ボウル部の上記粉砕室は、上記回転体の回転時に上記粉砕室内の底部側において水流の淀みが発生することを抑制する淀み抑制手段を備える。
このように構成された本発明においては、ボウル部の粉砕室は、回転体の回転時に、粉砕室内の底部側において水流の淀みが発生することを抑制する淀み抑制手段を備える。よって、粉砕室の上側の回転体から比較的距離が離れている粉砕室の底部側において、回転体の回転時に水流の淀みが発生することを抑制でき、水流の淀みによる汚物の粉砕性能の低下を抑制することができる。
【００１２】
本発明において、好ましくは、上記淀み抑制手段は、上記回転体の下方において前方側から後方側に向けて上り傾斜するように形成される上記粉砕室の下面である。
このように構成された本発明においては、淀み抑制手段は、回転体の下方において前方側から後方側に向けて上り傾斜するように形成される粉砕室の下面であるので、使用者から淀み抑制手段を見えにくくして違和感を与えにくくすると共に粉砕室の容積を小さくすることができる。これにより、粉砕室における回転流の流速を上昇させることができ、汚物の粉砕性能を向上させることができる。また、例えば粉砕室の下面全体を底上げして粉砕室の容積を小さくする場合と比べて、粉砕室の下面が回転体の下方において上り傾斜するように形成されているので、粉砕装置を粉砕室側からメンテナンスできるメンテナンス性の低下を抑制することができる。
【発明の効果】
【００１３】
本発明の便器装置によれば、使用者にボウル部内に回転軸及び回転体が見えることによる違和感を与えにくくすることができると共に、汚物の蓄積が回転体及び回転軸の回転動作を阻害することを抑制することができる。
【図面の簡単な説明】
【００１４】
【図１】本発明の一実施形態による便器装置を後方斜め上方から見た全体斜視図である。
【図２】本発明の一実施形態による便器装置を示す断面図である。
【図３】図２のボウル部の粉砕室を拡大して示す部分拡大断面図である。
【発明を実施するための形態】
【００１５】
次に、添付図面を参照して、本発明の一実施形態による便器装置について説明する。最初に、図１及び図２により、本発明の一実施形態による便器装置の全体構造を説明する。
【００１６】
図１に示すように、本発明の一実施形態による便器装置であるポータブルトイレ装置１は、汚物を粉砕して排出する水洗式の便器装置であり、通常のトイレ空間以外の場所、例えば、使用者の居室、寝室内のベッドサイド等に配置されることができる。ポータブルトイレ装置１は、介護用として使用でき、また、高齢者や病気の人などで、トイレまで歩いていくことが困難又は比較的負担に感じる人にも、自分で居室において使用することができる便器装置である。なお、以下、本発明の一実施形態における説明において、ポータブルトイレ装置１を使用する使用者側（ポータブルトイレ装置１を使用するためにポータブルトイレ装置１の正面に立っている使用者側）から見てポータブルトイレ装置１の手前側を前方側とし、使用者から見て奥側を後方側とし、ポータブルトイレ装置１を前方から見て右側を右側とし、前方から見て左側を左側として説明している。
【００１７】
ポータブルトイレ装置１は、便器本体２と、便器本体２に洗浄水を供給する給水装置である給水部４と、便器本体２を支持するフレーム６と、を備えている。
【００１８】
また、ポータブルトイレ装置１は、移動可能な非据え付け型の装置である。ポータブルトイレ装置１は、フレーム６のフレーム基部６ａが便器本体２等が設置される床面Ｆに固定されておらず、使用者又は事業者等によって車輪１ａ等を利用して移動可能に形成されている。
【００１９】
図２に示すように、給水部４は、建物側の給水設備と可撓性の給水管８を介して接続されている。給水部４は、便器本体２の後方上部に設けられ、ボウル部１０に形成された吐水口１０ａからボウル部１０に洗浄水を供給する。なお、給水部４は、貯水タンクから洗浄水を供給するタンク方式のものであってもよい。給水管８は給水ホース等により形成される。
【００２０】
便器本体２は、便器本体２の前方側に設けられた汚物を受けるボウル部１０と、ボウル部１０の底部と連通するように設けられて汚物を洗浄水と共に排出する排出路である排水トラップ管路１２と、を備えている。
【００２１】
ボウル部１０は、汚物を受ける汚物受け面１０ｂと、汚物受け面１０ｂの下部から上下方向に延びる筒状部分１０ｃと、汚物受け面１０ｂの下部の筒状部分１０ｃの下端から外側へ向けて延びる粉砕室１０ｄとを備えている。
【００２２】
汚物受け面１０ｂはすり鉢状に形成されている。汚物受け面１０ｂには、洗浄開始前において、貯留された溜水の溜水面Ｗ０（待機状態の溜水面）が形成される。洗浄開始前においては、汚物受け面１０ｂの下部、筒状部分１０ｃ及び粉砕室１０ｄに溜水が貯留された状態となる。筒状部分１０ｃは上面視における流路径（断面積径）がほぼ一定になるように形成されている。筒状部分１０ｃは鉛直方向に延びる比較的短い流路を形成する。
【００２３】
排水トラップ管路１２は、ボウル部１０の下面に接続する接続部１２ａと、排水トラップを形成するように立ち上がる上昇部１２ｂと、排水トラップの頂点の直線流路を形成する頂部１２ｄと、下降する流路を形成する下降部１２ｆと、床面Ｆのわずかに上方且つ床面Ｆとほぼ平行に延びる横向部１２ｇとを備えている。
【００２４】
排水トラップ管路１２の接続部１２ａは、後述するフィルタ３８の４つの孔４８と連通している。排水トラップ管路１２は、少なくとも上昇部１２ｂと、頂部１２ｄとにより凸形状の排水トラップ構造を形成する。頂部１２ｄは、頂部１２ｄの底面が平坦面として形成され、排水トラップの折り返し部分を形成している。頂部１２ｄの底面の高さがボウル部１０の初期水位の溜水面Ｗ０の高さとなっている。
【００２５】
排水トラップ管路１２の下流側の横向部１２ｇには、排水管路１６が接続される。排水トラップ管路１２及び排水管路１６は、ポータブルトイレ装置１を移動可能にするため比較的細い配管により形成される。排水トラップ管路１２の内径は好ましくは１０ｍｍ〜５０ｍｍの範囲であり、より好ましくは２０ｍｍである。排水管路１６は、可撓性の管路部分１６ａを有する。可撓性の管路部分１６ａは、排水トラップ管路１２の下流側の横向部１２ｇに接続される。可撓性の管路部分１６ａは、排水ホース等の可撓性部材により形成される。排水管路１６は、建物側に設けられた排水用の配管（図示せず）も含む。排水管路１６の内径は、好ましくは１０ｍｍ〜５０ｍｍの範囲であり、より好ましくは２０ｍｍである。排水管路１６の建物側の配管には、横向部１２ｇ又は可撓性の管路部分１６ａから連続して延び且つ可撓性の管路部分１６ａとほぼ同様の配管の内径が続く部分の配管が含まれる。
【００２６】
ポータブルトイレ装置１は、さらに、ボウル部１０内で汚物を粉砕する粉砕装置１８と、ボウル部１０内の洗浄水を下流側に排出させる排出装置である排出ポンプ２０と、使用者が操作する操作部（図示せず）と、ポータブルトイレ装置１の洗浄動作及び粉砕圧送動作等を制御する制御部２４と、ボウル部１０内の水位を検知する水位検知装置３２と、排水トラップ管路１２に接続された通気弁管路３４と、通気弁管路３４に設けられた通気弁３６と、ボウル部１０と排出ポンプ２０との間に設けられるフィルタ３８と、を備えている。
【００２７】
粉砕装置１８は、粉砕室１０ｄの後部側の天面である天井面１０ｅ（図３参照）に設けられる。粉砕装置１８は、粉砕室１０ｄ内に配置されると共に汚物を粉砕するようにボウル部１０の溜水内に回転流を発生させる回転体２６と、回転体２６に回転を伝達する回転軸２８と、回転体２６及び回転軸２８を駆動させる電動モーター３０とを備えている。粉砕装置１８の回転体２６は、自身の回転によりボウル部１０の溜水内に旋回流（回転流）を発生させ、汚物を粉砕する。回転体２６は、円盤状に形成されている。回転体２６は、天井面１０ｅのわずかに下方においてほぼ水平に取付けられている。回転軸２８は、天井面１０ｅから下方に延びている。電動モーター３０は、制御部２４と電気的に接続され、制御部２４により制御されるようになっている。
【００２８】
排出ポンプ２０は、溜水面を規定する排水トラップ管路１２の排水トラップ構造より上流側に配置される。排出ポンプ２０は、高揚程が実現可能な遠心式ポンプを形成している。排出ポンプ２０は、ボウル部１０内で粉砕した汚物を洗浄水とともに圧送して排水トラップ管路１２及び排水管路１６を介し排出させる。排出ポンプ２０は、ポンプ室４０と、ポンプ室４０の内側で回転されるインペラ４２と、インペラ４２の回転軸４４と、インペラ４２及び回転軸４４を駆動させる電動モーター４６とを備えている。
【００２９】
ポンプ室４０の中央部の入口には、フィルタ３８の下部から延びる接続部１２ａが接続され、ポンプ室４０の上部の外周部には、上昇部１２ｂが接続される。インペラ４２の回転によって発生する遠心力により、汚物及び洗浄水がポンプ室４０から排水トラップ管路１２に向かって押し出され、且つ圧送される。
【００３０】
制御部２４は、使用者による操作部の操作又は自己の設定により、給水部４、粉砕装置１８及び排出ポンプ２０を制御する。制御部２４は、これらの制御を行うためのＣＰＵ、メモリ等を内蔵している。制御部２４は、給水部４、粉砕装置１８、排出ポンプ２０及び水位検知装置３２等と電気的に接続され、各装置等を制御するようになっている。
【００３１】
水位検知装置３２は、ボウル部１０の筒状部分１０ｃの外側に設けられている。水位検知装置３２は、制御部２４と電気的に接続され、制御部２４に水位情報を伝達する。例えば、水位検知装置３２は、溜水面の水位が筒状部分１０ｃに相当する所定の水位以下に低下したことを検知できる。水位検知装置３２は、非接触式の静電容量式のセンサであるがこれに限らず、例えば非接触式のマイクロ波センサであってもよい。
【００３２】
通気弁管路３４の一端は、排水トラップ管路１２の排出ポンプ２０より下流側の頂部１２ｄに接続されている。また、通気弁管路３４の他端は、ボウル部１０の汚物受け面１０ｂの吐水口１０ａより上部に接続されている。通気弁管路３４は、ボウル部１０と排水トラップ管路１２とを後述する通気弁３６を介して連通する。
【００３３】
通気弁３６は、排水トラップ管路１２にボウル部１０側の外部空気を取り入れる機能を有する。通気弁３６は、所定圧力以下の負圧により開弁する。通気弁３６は、排出ポンプ２０が洗浄水を下流側に排出することにより、排水トラップ管路１２又は排水管路１６においてサイホン現象が発生した場合には、このサイホン現象による所定圧力以下の負圧により開弁する弁機構を有する。通気弁３６の弁機構は、排水トラップ管路側の圧力が大気圧より低く且つ開弁圧力以下の負圧となる場合に開弁する弁機構を有する。通気弁３６は、例えばアンブレラバルブが適用可能である。通気弁３６は、サイホン現象が発生した場合にサイホン現象を早期に強制的に終了させることができる。
【００３４】
フィルタ３８は、ボウル部１０の底部側の下面に配置される。フィルタ３８は、ボウル部１０と排出ポンプ２０に至る流路である接続部１２ａとの接続部に設けられている。フィルタ３８には、複数の孔４８が形成されている。フィルタ３８は、複数の孔４８により所定以下の大きさに粉砕された汚物を通過させる機能を有する。フィルタ３８は、孔４８を通過できないような汚物を粉砕室１０ｄ内にとどめる機能も有し、通過できない汚物を粉砕室１０ｄ内でさらに粉砕させる。フィルタ３８の孔４８は、ボウル部１０内の水位が粉砕室１０ｄの側部近傍の所定水位以下になるまでは排出ポンプ２０がエアロックすることを抑制するように配置されている。
【００３５】
次に、図３により、ボウル部１０の粉砕室１０ｄについて詳細に説明する。
図３は、図２のボウル部の粉砕室を拡大して示す部分拡大断面図である。
ボウル部１０の粉砕室１０ｄは、汚物受け面１０ｂの下部から前後方向においては後方側のみへ向けて延びている。粉砕室１０ｄは、上面視で、筒状部分１０ｃの下部から後方側にひょうたん型に拡張された部屋を形成している。粉砕室１０ｄは、汚物を粉砕する時点において、洗浄水を貯溜している状態となっている。ボウル部１０の粉砕室１０ｄは、回転体２６より上側を含む回転体２６の近傍に溜まる空気を排出する空気排出手段を備える。この空気排出手段は、水平Ｌに対して汚物受け面側（内側）に向けて上り傾斜するように形成される粉砕室１０ｄの天井面１０ｅである。天井面１０ｅは、筒状部分１０ｃの下端から粉砕室１０ｄの後端までの傾斜面を形成している。天井面１０ｅが筒状部分１０ｃに向けて傾斜されるので、給水時に回転体２６近傍に溜まる空気を天井面１０ｅに沿って排出させることができる。天井面１０ｅは、回転体２６近傍に空気が溜まらないようにすることができる。水平Ｌと天井面１０ｅとの角度αは、１度〜１０度の範囲、より好ましくは２度〜３度の範囲とされている。角度αが、１度以上であるので、天井面１０ｅの傾斜が小さすぎるため空気が排出されないことを抑制することができる。仮に天井面１０ｅの傾斜が１０度より大きくなる場合には、回転体２６により発生される回転流が天井面１０ｅに沿って回転するため、回転流の水平方向成分が減少し、この水平方向成分を有する流れにより生じる筒状部分１０ｃ側の回転流の回転速度が遅くなる現象が生じる。角度αが、１０度以下であるので、このような現象が生じることを抑制することができる。
【００３６】
粉砕装置１８の回転軸２８は粉砕室１０ｄ内の上側の天井面１０ｅから下方に延びるように設けられる。回転体２６は粉砕室１０ｄ内の上側の天井面１０ｅ近傍に設けられる。回転軸２８及び回転体２６は、ボウル部１０のリム部の内側上端１０ｇと、筒状部分１０ｃの下端１０ｈとを結ぶように延ばした仮想線Ｍよりも上方に位置している。このように、回転軸２８及び回転体２６は、ポータブルトイレ装置１を使用する使用者から通常の使用（大便、小便）においては見えにくい位置に配置されている。また、回転体２６は、平面視でボウル部１０の待機状態における溜水面Ｗ０の外側に配置されるので、回転軸２８及び回転体２６は、ポータブルトイレ装置１を使用する使用者から通常の使用においては見えにくい位置に配置されている。
【００３７】
粉砕室１０ｄは、さらに、回転体２６の回転時に粉砕室１０ｄ内の上側の回転体２６から離れている粉砕室１０ｄ内の底部側において水流の淀みが発生することを抑制する淀み抑制手段を備えている。この淀み抑制手段は、回転体２６の下方において前方側から後方側に向けて上り傾斜するように形成される粉砕室１０ｄの下面１０ｆである。下面１０ｆは、筒状部分１０ｃの下方から粉砕室１０ｄの後端まで傾斜面を形成している。下面１０ｆの傾斜面の長さは、概ね回転体２６の長さと同じである。下面１０ｆは、上面視で、筒状部分１０ｃより後方側に傾斜面を形成している。このように、淀み抑制手段は、回転体２６の下方に配置されるので、淀み抑制手段は、ポータブルトイレ装置１を使用する使用者から通常の使用においては見えにくい位置に配置されている。なお、本発明において淀み抑制手段は本実施形態の構成に限らず、例えば、淀み抑制手段として後方側が前方側よりも高い位置となる段差を粉砕室の下面に形成してもよい。
【００３８】
次に、図２により、上述した本発明の一実施形態による便器装置の動作（作用）を説明する。図２及び図３において、洗浄水等が存在している部分を点線により図示している。
【００３９】
図２においては、使用者が便器本体２を使用する前の待機状態の溜水面Ｗ０が示されている。この状態においては、給水部４は停止された状態であり、粉砕装置１８及び排出ポンプ２０も停止された状態である。
【００４０】
ボウル部１０の粉砕室１０ｄは、回転体２６近傍に溜まる空気を排出する空気排出手段を備えているので、前回の洗浄後の給水部４による給水時に回転体２６近傍に溜まる空気が排出されている。よって、粉砕室１０ｄ内の回転体２６近傍に空気がほぼ溜まっていない状態となっている。よって、後述する粉砕動作のために回転体２６が駆動されるときに、回転体２６が回転体２６近傍に溜まる空気を巻き込み、異音を生じさせることを抑制することができる。
【００４１】
使用者が便器本体２を使用すると、汚物（大便、小便、トイレットペーパー等）がボウル部１０内に入った状態となる。使用者が操作部の操作スイッチ等を操作すると、洗浄動作が開始される。操作部の操作スイッチ等が操作されると、その操作指令が制御部２４に送信され、制御部２４が、その指令に基づいて給水部４に給水指令を送り、給水部４からボウル部１０に所定時間給水が行われ、ボウル部１０が洗浄水によって洗浄される。このとき、依然として、粉砕装置１８及び排出ポンプ２０は停止された状態である。
【００４２】
次に、制御部２４が、排出ポンプ２０を駆動させ、洗浄水を、溜水面Ｗ０の水位を粉砕室１０ｄの上部程度の溜水面Ｗ１まで下げるように所定流量だけ排水させる。制御部２４は、排出ポンプ２０を再び停止させる。このとき、給水部４は停止された状態のままであり、粉砕装置１８も停止された状態のままである。汚物のうち所定の大きさ以上の汚物は、フィルタ３８を通過せず、溜水部１４内に留まっている。
【００４３】
次に、制御部２４が、粉砕装置１８を駆動させ、汚物の粉砕動作を行う。このとき、排出ポンプ２０は、停止された状態のままである。従って、ボウル部１０内で汚物が回転流により粉砕される。給水部４は停止された状態のままである。汚物は粉砕され、所定の大きさ以下の汚物となる。
粉砕室１０ｄは回転体２６の下方において形成されている淀み抑制手段を備えているので、粉砕室１０ｄの容積が、下面１０ｆが平坦に形成されている場合と比べて、減少されている。よって、回転体２６が同じ回転力により回転流を発生させたとしても、粉砕室１０ｄにおける回転流の流速が上昇される。特に、回転体２６の下方側の回転流の流速が上昇される。
また、回転体２６の下方の下面１０ｆが傾斜されているので、粉砕室１０ｄの上側の回転体２６から比較的距離が離れている粉砕室１０ｄの底部側領域が減少されている。よって、回転体２６から比較的距離が離れている粉砕室１０ｄの底部側において、回転体２６の回転時に水流の淀みが発生することを抑制でき、水流の淀みによる汚物の粉砕性能の低下を抑制することができる。さらに、粉砕室１０ｄの底部側の水流の流速を早めることにより、粉砕性能を向上させることができる。
【００４４】
汚物の粉砕が終了すると、制御部２４は、粉砕装置１８を停止させ、排出ポンプ２０を駆動させる。フィルタ３８の孔４８の孔径より小さくなっている汚物は、フィルタ３８を通過することができる。排出ポンプ２０は、洗浄水及び汚物を排水トラップ管路１２を介して排水管路１６に圧送（排出）する。
【００４５】
ボウル部１０内から洗浄水が排出されるとき、ボウル部１０内の洗浄水の水位が徐々に低下する。ボウル部１０内の洗浄水及び粉砕された汚物は孔４８に流入する。
【００４６】
ボウル部１０内の洗浄水の水位が最も高い位置にある孔４８と同じ高さとなるまで低下する場合、エアが複数の孔４８から同時に排出ポンプ２０に吸引され、排出ポンプ２０をエアロックにより動作停止させる。
【００４７】
制御部２４は排出ポンプ２０の停止後、給水部４を作動させ、給水部４からボウル部１０に給水を開始させる。前述するように、給水時に空気排出手段により、回転体２６近傍に溜まる空気が排出されている。図２に示すように、ボウル部１０内の洗浄水が溜水面Ｗ０に到達すると、制御部２４は、給水部４を停止させ、一連の洗浄動作を終了させる。
【００４８】
次に、上述した第１実施形態によるポータブルトイレ装置１による作用効果を説明する。
本発明の一実施形態によるポータブルトイレ装置１によれば、汚物受け面１０ｂの下部から外側へ向けて延びる粉砕室１０ｄにおいて、回転軸２８は粉砕室１０ｄ内の上側に設けられ且つ回転体２６も粉砕室１０ｄ内の上側に設けられる。これにより、使用者から粉砕装置１８の回転軸２８及び回転体２６を見えにくくすることができ、使用者にボウル部１０内に回転軸２８及び回転体２６が見えることによる違和感を与えにくくすることができる。
また、このように構成された本発明においては、回転軸２８は粉砕室１０ｄ内の上側に設けられ且つ回転体２６も粉砕室１０ｄ内の上側に設けられる。仮に回転軸２８及び回転体２６が粉砕室１０ｄ内の下側に設けられて汚物が沈殿して下側の回転体２６及び回転軸２８に蓄積する場合と比べて、本発明によれば、回転体２６及び回転軸２８に汚物が蓄積することを抑制し、汚物の蓄積が回転体２６及び回転軸２８の回転動作を阻害することを抑制することができる。
【００４９】
また、本発明の一実施形態によるポータブルトイレ装置１によれば、汚物受け面１０ｂの下部から後方側へ向けて延びる粉砕室１０ｄにおいて、回転軸２８は粉砕室１０ｄ内の上側に設けられ且つ回転体２６も粉砕室１０ｄ内の上側に設けられる。これにより、使用者から粉砕装置１８の回転軸２８及び回転体２６をより見えにくくすることができ、使用者にボウル部１０内に回転軸２８及び回転体２６が見えることによる違和感をより与えにくくすることができる。
【００５０】
さらに、本発明の一実施形態によるポータブルトイレ装置１によれば、粉砕装置１８の回転体２６は、平面視でボウル部１０の待機状態における溜水面Ｗ０の外側に配置される。これにより、使用者から粉砕装置１８の回転軸２８及び回転体２６をより見えにくくすることができ、使用者にボウル部１０内に回転軸２８及び回転体２６が見えることによる違和感をより与えにくくすることができる。
【００５１】
さらに、本発明の一実施形態によるポータブルトイレ装置１によれば、ボウル部１０の粉砕室１０ｄが、回転体２６より上側に溜まる空気を汚物受け面側へ向けて排出する空気排出手段を備えるので、回転体２６が回転体２６より上側に溜まる空気を巻き込み、異音を生じさせることを抑制することができる。
【００５２】
さらに、本発明の一実施形態によるポータブルトイレ装置１によれば、空気排出手段は、水平に対して汚物受け面側に向けて上り傾斜するように形成される粉砕室１０ｄの天井面１０ｅである。よって、粉砕室１０ｄの回転体２６より上側に溜まる空気が、空気排出手段に沿って汚物受け面側に向けて排出され、回転体２６より上側に空気が溜まることを抑制することができる。
【００５３】
さらに、本発明の一実施形態によるポータブルトイレ装置１によれば、ボウル部１０の粉砕室１０ｄは、回転体２６の回転時に、粉砕室１０ｄ内の底部側において水流の淀みが発生することを抑制する淀み抑制手段を備える。よって、粉砕室１０ｄの上側の回転体２６から比較的距離が離れている粉砕室１０ｄの底部側において、回転体２６の回転時に水流の淀みが発生することを抑制でき、水流の淀みによる汚物の粉砕性能の低下を抑制することができる。
【００５４】
さらに、本発明の一実施形態によるポータブルトイレ装置１によれば、淀み抑制手段は、回転体２６の下方において前方側から後方側に向けて上り傾斜するように形成される粉砕室１０ｄの下面であるので、使用者から淀み抑制手段を見えにくくして違和感を与えにくくすると共に粉砕室１０ｄの容積を小さくすることができる。これにより、粉砕室１０ｄにおける回転流の流速を上昇させることができ、汚物の粉砕性能を向上させることができる。
また、例えば粉砕室１０ｄの下面全体を底上げして粉砕室１０ｄの容積を小さくする場合と比べて、粉砕室１０ｄの下面が回転体２６の下方において上り傾斜するように形成されているので、粉砕室側からメンテナンスできるメンテナンス性の低下を抑制することができる。
【符号の説明】
【００５５】
１        ポータブルトイレ装置
１ａ      車輪
２        便器本体
４        給水部
６        フレーム
６ａ      フレーム基部
８        給水管
１０      ボウル部
１０ａ    吐水口
１０ｂ    汚物受け面
１０ｃ    筒状部分
１０ｄ    粉砕室
１０ｅ    天井面
１０ｆ    下面
１０ｇ    上端
１０ｈ    下端
１２      排水トラップ管路
１２ａ    接続部
１２ｂ    上昇部
１２ｄ    頂部
１２ｆ    下降部
１２ｇ    横向部
１４      溜水部
１６      排水管路
１６ａ    管路部分
１８      粉砕装置
２０      排出ポンプ
２４      制御部
２６      回転体
２８      回転軸
３０      電動モーター
３２      水位検知装置
３４      通気弁管路
３６      通気弁
３８      フィルタ
４０      ポンプ室
４２      インペラ
４４      回転軸
４６      電動モーター
４８      孔
Ｆ        床面
Ｌ        水平
Ｍ        仮想線
Ｗ０      溜水面
Ｗ１      溜水面
α        角度
【図１】
2019132003.tif 000003
【図２】
2019132003.tif 000004
【図３】
2019132003.tif 000005